(57)【特許請求の範囲】
【請求項１】
内部空間が下部開口部を通じて外部に開口せしめられると共に、該内部空間の中央部分を外周部分から仕切るように立設せしめられたリブを有するキャップ本体と、中心部に貫通孔を有する金属板からなり、該金属板の外周縁部において、該キャップ本体の下部開口部の内周縁部に対して係合せしめられる一方、かかる金属板の内面の、該キャップ本体における前記リブの先端に対する当接にて、該金属板の内方への移動が阻止せしめられるようにされた状態で、該キャップ本体に取り付けられる止め板部材とを含み、断熱材や吸音材に刺し通された釘状のピン部材の先端を該止め板部材の前記貫通孔に挿通せしめて固定することにより、該キャップ本体にて該ピン部材の先端を覆いつつ、該断熱材や吸音材を押さえ付けるようにした断熱材及び吸音材用押さえキャップにおいて、
前記止め板部材が、前記キャップ本体の前記リブに対する当接部位よりも前記貫通孔が設けられる中心側の内周部位において、全周にわたって、外方に向かって突出するくの字状に屈曲されて、少なくとも当該屈曲部位が、前記キャップ本体の前記下部開口部から外方に突出位置せしめられていることを特徴とする断熱材及び吸音材用押さえキャップ。
【請求項２】
前記止め板部材が、前記中心部の貫通孔から放射状に延びる切込みを有して構成されていることを特徴とする請求項１に記載の断熱材及び吸音材用押さえキャップ。
【請求項３】
前記キャップ本体が、浅底の皿形状を有して構成されていることを特徴とする請求項１又は請求項２に記載の断熱材及び吸音材用押さえキャップ。
【発明の詳細な説明】
【０００１】
【技術分野】
本発明は、断熱材及び吸音材用押さえキャップに係り、特に、建築物や大型空調機等の所定位置に、断熱材や吸音材を押さえ付けて配設する際に用いられる断熱材及び吸音材用押さえキャップに関するものである。
【０００２】
【背景技術】
従来から、建築物の建築施工において、該建築物の断熱効果や防音効果を高めるための内装工事を行なう場合には、内壁や外壁の下地材に対して、グラスウールやロックウール等がシート状に成形された断熱材や吸音材が配設されている。また、ユニット型の空気調和機や大型の空気清浄機等においても、騒音防止のために、通常、外面パネルの内側等に対して、上述のものと同様な材質等からなる吸音材が配設されている。
【０００３】
そして、そのような断熱材や吸音材は、多くの場合、前記下地材や外面パネルに立設せしめられた、細長い釘状の取付ピンが刺し通され、更に、この取付ピンの、該断熱材や吸音材の表面から突出する先端に対して、押さえキャップが取り付けられることにより、該押さえキャップにて押さえ付けられた状態で、下地材や外面パネルに配設、固定されるようになっているのである。
【０００４】
また、この断熱材や吸音材を下地材や外面パネルに配設する際に用いられる押さえキャップ、所謂断熱材及び吸音材用押さえキャップは、一般に、内部空間が下部開口部を通じて外部に開口せしめられると共に、該内部空間の中央部分を外周部分から仕切るように立設せしめられたリブを有するキャップ本体と、中心部に貫通孔を有する金属板からなり、該金属板の外周縁部において、該キャップ本体の下部開口部の内周縁部に対して係合せしめられる一方、かかる金属板の内面の、該キャップ本体における前記リブの先端に対する当接にて、該金属板の内方への移動が阻止せしめられるようにされた状態で、該キャップ本体に取り付けられる止め板部材とを含んで、構成されている。そして、断熱材や吸音材に刺し通されたピン部材の先端を該止め板部材の前記貫通孔に挿通せしめて固定することにより、該キャップ本体にて該ピン部材の先端を覆いつつ、該断熱材や吸音材を容易に押さえ付け得るようになっているのである。
【０００５】
ところで、このような押さえキャップにおいては、建築物の内壁や外壁への断熱材や吸音材の配設作業中に、作業員がキャップ本体に接触して、該キャップ本体が、止め板部材から離脱せしめられたり、或いは、ユニット型の空気調和機や大型の空気清浄機等の外面パネルに取り付けた際に、キャップ本体の先端が、それらの機械に内蔵される部品や構造体に接触して、外面パネルの取付が困難なものとなったりすることを避ける上で、キャップ本体の高さ寸法が、可及的に小さくされていることが望ましい。
【０００６】
しかしながら、前述の如き構造を有する、従来の断熱材及び吸音材用押さえキャップにあっては、断熱材や吸音材に刺し通されたピン部材の先端が、止め板部材の貫通孔に対して確実に挿通せしめられ、且つ、キャップ本体の底部を刺通することなく、該キャップ本体にて良好に覆われ得るように為す上で、キャップ本体の内部空間の高さを、ある程度、確保する必要があり、そのため、実際には、１２〜１３ｍｍ程度の比較的高い高さ寸法をもって構成されていたのである。
【０００７】
【解決課題】
ここにおいて、本発明は、上述せる如き事情を背景にして為されたものであって、その解決課題とするところは、断熱材や吸音材に刺し通されたピン部材の先端が、止め板部材の貫通孔に対して確実に挿通され、且つキャップ本体の底部を刺通することなく、該キャップ本体に良好に覆われ得る状態を確保しつつ、キャップ本体の高さ寸法を可及的に小さく為され得るようにした断熱材及び吸音材用押さえキャップの改良された構造を提供することにある。
【０００８】
【解決手段】
そして、本発明にあっては、かかる課題の解決のために、内部空間が下部開口部を通じて外部に開口せしめられると共に、該内部空間の中央部分を外周部分から仕切るように立設せしめられたリブを有するキャップ本体と、中心部に貫通孔を有する金属板からなり、該金属板の外周縁部において、該キャップ本体の下部開口部の内周縁部に対して係合せしめられる一方、かかる金属板の内面の、該キャップ本体における前記リブの先端に対する当接にて、該金属板の内方への移動が阻止せしめられるようにされた状態で、該キャップ本体に取り付けられる止め板部材とを含み、断熱材や吸音材に刺し通されたピン部材の先端を該止め板部材の前記貫通孔に挿通せしめて固定することにより、該キャップ本体にて該ピン部材の先端を覆いつつ、該断熱材や吸音材を押さえ付けるようにした断熱材及び吸音材用押さえキャップにおいて、前記止め板部材が、前記キャップ本体の前記リブに対する当接部位よりも前記貫通孔が設けられる中心側の内周部位において、全周にわたって、外方に向かって突出するくの字状に屈曲されて、少なくとも当該屈曲部位が、前記キャップ本体の前記下部開口部から外方に突出位置せしめられていることを、その特徴とするものである。
【０００９】
すなわち、本発明に従う断熱材及び吸音材用押さえキャップにあっては、キャップ本体の下部開口部を閉塞するようにして、該キャップ本体に取り付けられた止め板部材の、貫通孔が設けられる中心側の内周部位が、全周にわたって、外方に向かってくの字状に屈曲されて、少なくとも、その屈曲部位が、前記キャップ本体の下部開口部から外方に突出位置せしめられているところから、かかる止め板部材の貫通孔が、キャップ本体の下部開口部から外方に突出して位置せしめられるか、若しくはキャップ本体の内部に位置せしめられる場合でも、該キャップ本体の下部開口部に対して、より近接して位置せしめられ得るようになっているのである。
【００１０】
それ故、かかる断熱材及び吸音材用押さえキャップにおいては、断熱材や吸音材に刺し通されたピン部材の先端を止め板部材の貫通孔に確実に挿通せしめた状態下で、該ピン部材の先端における、キャップ本体の内部空間内への突入部分の長さが有利に短く為され得るのであり、それによって、該ピン部材の先端が、キャップ本体の底部を刺通することなく、該キッャプ本体にて覆われ得る状態で、かかる内部空間の高さが可及的に低く為され得るのである。
【００１１】
従って、本発明に従う断熱材及び吸音材用押さえキャップにあっては、断熱材や吸音材に刺し通されたピン部材の先端が、止め板部材の貫通孔に対して確実に挿通され、且つキャップ本体の底部を刺通することなく、該キャップ本体に良好に覆われ得る状態を確保しつつ、キャップ本体の高さ寸法が可及的に小さく為され得るのである。そして、その結果として、建築物の内壁や外壁への断熱材や吸音材の配設作業中に、作業員がキャップ本体に接触して、該キャップ本体が、止め板部材から離脱せしめられたり、或いは、ユニット型の空気調和機や大型の空気清浄機等の外面パネルに取り付けた際に、キャップ本体の先端が、それらの機械に内蔵される部品や構造体に接触して、外面パネルの取付が困難なものとなったりするようなことが確実に回避され得て、従来品では得られない優れた使用性が、極めて効果的に発揮され得ることとなるのである。
【００１２】
なお、このような本発明に従う断熱材及び吸音材用押さえキャップにおいては、好ましくは、前記止め板部材が、前記中心部の貫通孔から放射状に延びる切込みを有して構成される。このような構成によれば、断熱材や吸音材に刺し通されたピン部材の先端が、止め板部材の貫通孔に対して、より容易に挿通せしめられ得、以て更に一層優れた使用性が有利に発揮され得るのである。
【００１３】
また、本発明に係る断熱材及び吸音材用押さえキャップにあっては、キャップ本体として、浅底の皿形状を有するものが、有利に採用されることとなる。
【００１４】
【発明の実施の形態】
以下、本発明をより具体的に明らかにするために、本発明に係る断熱材及び吸音材用押さえキャップの構成について、図面を参照しつつ、詳細に説明することとする。
【００１５】
先ず、図１には、本発明に従う構造を有する断熱材及び吸音材用押さえキャップとして、建築物の内壁や外壁の下地材に断熱材を配設する際に用いられる断熱材用押さえキャップの一例が、概略的に示されている。かかる図からも明らかなように、断熱材用押さえキャップ１０は、キャップ本体１２と止め板１４とを有して、構成されている。
【００１６】
より具体的には、図２及び図３に示される如く、この押さえキャップ１０を構成するキャップ本体１２は、ポリプロピレン等の合成樹脂材料が、６ｍｍ程度の高さを有する、略浅底の皿形状に成形されて、成っている。換言すれば、キャップ本体１２にあっては、所定の合成樹脂材料にて一体形成された、円板状の底部１６と、高さの低い略円筒状の側壁部１８とを有し、それら底部１６と側壁部１８とにて囲まれる内部空間２０が、側壁部１８の先端側（下端側）の開口部２２を通じて、外部に開口せしめられて、構成されているのである。
【００１７】
また、かかるキャップ本体１２の底部１６は、その内面の内周部が、外周部よりも一段高くされていると共に、外面が、中心に向かって漸次上方に高くなるテーパ面形状とされており、それによって、該底部１６の内周部分が、その外周部分よりも厚肉化され、且つ該内周部分においても、中心に向かうに従って次第に肉厚が増大せしめられるようになっている。更に、そのようなキャップ本体１２の底部１６の内面には、側壁部１８よりも所定寸法低い高さをもって突出し、且つ前記高さが高くされた内周部を取り囲むようにして、該側壁部１８に沿って周方向に連続して延びるリブ２４が、一体的に立設せしめられている（図４参照）。即ち、このリブ２４は、キャップ本体１２の内面の内周部に対応する、前記内部空間２０の中央部分を、該内面の外周部に対応する、該内部空間２０の外周部分から仕切るように立設せしめられているのである。
【００１８】
また、キャップ本体１２の側壁部１８には、前記開口部２２を与える下端側の内周縁部に、係合突部２６が、周方向に連続して設けられている。更に、この係合突部２６は、断面山形形状をもって、前記内部空間２０の内方に向かって所定高さ突出せしめられており、該断面山形形状における前記底部１６側の基部部位が、該底部１６に設けられた前記リブ２４の先端面よりも、開口部２２側に位置せしめられている。
【００１９】
一方、止め板１４は、図３及び図４からも明らかなように、全体として、円形状を呈する、弾性を備えた、略薄肉の金属板から成っている。また、この止め板１４においては、中心部に、貫通孔２８が設けられており、更に、その外周部位が、水平方向に延びる水平部３０とされている。なお、この水平部３０は、前記キャップ本体１２における側壁部１８からリブ２４までの、径方向に則した距離と略同一の幅をもって、構成されている。
【００２０】
また、かかる止め板１４の内周部位には、該内周部位を、全周にわたって、くの字状に屈曲せしめる屈曲部３２が形成されている。即ち、止め板１４にあっては、その内周部位における、該屈曲部３２よりも前記水平部３０側の部位が、該水平部３０側から屈曲部３２側に向かって下傾するテーパ形状の外側テーパ部３４とされている一方、該屈曲部３２よりも前記貫通孔２８が設けられる中心側の部位が、屈曲部３２側から貫通孔２８側に向かって上傾するテーパ形状の内側テーパ部３６とされているのである。
【００２１】
さらに、そのような止め板１４においては、前記水平部３０の上面を含む水平面に対する外側テーパ部３４のテーパ形状の傾斜角度が、該水平面に平行な水平面に対する内側テーパ部３６のテーパ形状の傾斜角度よりも大きくされており、それによって、内側テーパ部３６の中心部に設けられた貫通孔２８が、該水平部３０の上面を含む水平面よりも所定寸法下方に位置せしめられるようになっている。また、かかる止め板１４にあっては、内側テーパ部３６に対して、貫通孔２８から放射状に延びる複数（ここでは、８個）の切込み３８が形成されて、該内側テーパ部３６が、かかる切込み３８によって、複数に分割されている。
【００２２】
而して、そのような構造とされた止め板１４が、図３に示される如く、その上面（外側テーパ部３４の内面側の面）を前記キャップ本体１２の内面に対向させつつ、水平部３０の外周縁部の下面において、キャップ本体１２の係合突起２６の、断面山形形状における前記底部１６側の基部部位に係合すると共に、該水平部３０の内周縁部（外側テーパ部３４との境界部分）の上面において、キャップ本体１２におけるリブ２４の先端面に当接し、更に、前記貫通孔２８が設けられる中心側の内周部位のうち、外側テーパ部３４の水平部３０側の一部を除いた部位、即ち外側テーパ部３４の一部と屈曲部３２と内側テーパ部３６とを、キャップ本体１２の開口部２２から下方に突出させるようにして、位置せしめられている。
【００２３】
これによって、止め板１４が、キャップ本体１２の内部空間２０に対して、その内方及び外方の両方向への移動が阻止せしめられ、且つ貫通孔２８が、該キャップ本体１２の開口部２２から下方に突出位置せしめられた状態で、キャップ本体１２に嵌合固定されており、以て断熱材用押さえキャップ１０が、構成されているのである。
【００２４】
そして、かくの如き構成とされた断熱材用押さえキャップ１０にあっては、図３に仮想線で示される如く、建築物の内壁や外壁の下地材（図示せず）に立設せしめられ、該下地材に沿って配置された、例えばグラスウール等からなるシート状の断熱材４０に刺し通された、公知の構造を有する、釘状の取付ピン４２の先端が、下方から上方に向かって、止め板１４の貫通孔２８に挿通せしめられるようになっているのであるが、ここでは、特に、前述の如く、止め板１４の、外側テーパ部３４の一部と屈曲部３２と内側テーパ部３６とがキャップ本体１２の開口部２２から下方に突出位置せしめられているところから、取付ピン４２の貫通孔２８内への挿通状態下において、止め板１４の屈曲部３２の下面とキャップ本体１２の下端面とにて、断熱材４０の表面が押さえ付けられるようになっている。また、内側テーパ部３６がキャップ本体１２の開口部２２から下方に突出せしめられて、該内側テーパ部３６の中心部に設けられた貫通孔２８も、キャップ本体１２の開口部から下方に突出位置せしめられていることによって、取付ピン４２の先端の、貫通孔２８への挿通部位において、キャップ本体１２の内部空間２０内に突入せしめられる部位の長さが、従来品のそれよりも短くされ得、以て該内部空間２０の高さが有利に低く為され得ているのである。
【００２５】
かくして、本具体例の断熱材用押さえキャップ１０にあっては、断熱材４０に刺し通された取付ピン４２の先端が、止め板１４の貫通孔２８内に挿通せしめられることによって、６ｍｍ程度の、従来品に比して略半分の高さしかないキャップ本体１２の底部１６に取付ピン４２の先端が刺通せしめられることなく、該取付ピン４２の先端をキャップ本体１２にて覆いつつ、断熱材４０を押さえ付け得るようになっているのである。
【００２６】
従って、本具体例に係る断熱材用押さえキャップ１０においては、断熱材４０に刺し通された取付ピン４２の先端が、止め板１４の貫通孔２８に対して確実に挿通され、且つキャップ本体１２の底部１６を刺通することなく、該キャップ本体１２に良好に覆われ得る状態を確保しつつ、キャップ本体１２の高さ寸法が可及的に小さく為され得るのである。そして、その結果として、建築物の内壁や外壁への断熱材４０の配設作業中に、作業員がキャップ本体１２に接触して、該キャップ本体１２が、止め板１４から離脱せしめられるようなことが有効に防止され得て、従来品では得られない優れた使用性が、極めて効果的に発揮され得ることとなるのである。
【００２７】
また、かかる断熱材用押さえキャップ１０にあっては、止め板１４が弾性を有する金属板からなっていると共に、そのような止め板１４の内周部位における内側テーパ部３６に、貫通孔２８から放射状に延びる複数の切込み３８が設けられているところから、該貫通孔２８内に取付ピン４２の先端が挿通せしめられる際に、内側テーパ３６が、それら切込み３８や貫通孔２８を広げるようにして、上方に弾性変形せしめられるようになっており、それによって、取付ピン４２の貫通孔２８内への挿通が容易に為され得るのである。
【００２８】
さらに、かかる断熱材用押さえキャップ１０においては、止め板１４の内側テーパ部３６が、屈曲部３２から貫通孔２８に向かって上傾するテーパ形状とされているところから、該貫通孔２８内に挿通せしめられた取付ピン４２の下方への移動、即ち、該取付ピン４２の先端の貫通孔２８内からの抜脱方向への移動が、該取付ピン４２の貫通孔２８への挿通部位に対する、該貫通孔２８の周縁部の係合によって阻止され得るようになっている。そして、それによって、かかる押さえキャップ１０にあっては、単に、取付ピン４２を貫通孔２８内に挿通させるだけのワンタッチの操作によって、取付ピン４２の先端に対して、極めて容易に固定され得るのである。
【００２９】
また、本具体例に係る断熱材用押さえキャップ１０にあっては、キャップ本体１２の底部１６の内周部分が、その外周部分よりも厚肉化され、且つ該内周部分においても、中心に向かうに従って次第に肉厚が増大せしめられるようになっているところから、止め板１４の貫通孔２８に対して、取付ピン４２を必要以上の長さで挿通せしめた場合や、該貫通孔２８への取付ピン４２の挿通状態下で、かかる底部１６が下方に向かって撓み変形せしめられた場合等にも、該取付ピン４２が、該底部１６を刺通するようなことが、効果的に防止され得るのである。
【００３０】
以上、本発明の具体的な構成について詳述してきたが、これはあくまでも例示であって、本発明は、上記の記載によって、何等の制約をも受けるものではない。
【００３１】
例えば、前記具体例では、キャップ本体１２がポリプロピレン等の合成樹脂材料にて構成されていたが、このキャップ本体１２を与える材質としては、ポリプロピレン以外の合成樹脂材料や各種の金属材料等、断熱材及び吸音材用押さえキャップのキャップ本体の構成材料として従来から用いられるものが、何れも有利に使用され得るのである。
【００３２】
また、そのようなキャップ本体１２の形状、更には該キャップ本体１２に取り付けられる止め板１４の形状も、前記具体例に示されるものに、何等限定されるものでないこととは、勿論である。
【００３３】
更にまた、止め板１４のキャップ本体１２に対する取付構造も、前記具体例に示されるものに、決して限定されるものではなく、外周縁部において、キャップ本体１２の開口部２２の内周縁部に対して係合せしめられる一方、キャップ本体１２との対向面において、該キャップ本体１２に設けられるリブ２４の先端に当接せしめられて、キャップ本体１２の内部空間２０の内方への移動が阻止せしめられるようになっておれば、如何なる構造も採用され得るのである。
【００３４】
また、前記具体例では、止め板１４の貫通孔２８が設けられる内側テーパ部３６が、屈曲部３２側から貫通孔２８側に向かって上傾するテーパ形状とされて、取付ピン４２の貫通孔２８からの抜脱が、該取付ピン４２に対する該貫通孔２８の周縁部の係合によって阻止され得るようになっおり、それによって、取付ピン４２の先端が、該貫通孔２８への挿通状態下で、押さえキャップ１０に対して固定されるようになっていたが、そのような取付ピン４２の押さえキャップ１０に対する固定構造も、特に、これに限定されるものではない。即ち、例えば、貫通孔２８の径を取付ピン４２の外径よりも所定寸法小さく為して、そのような貫通孔２８内に、取付ピン４２を、単に、圧入せしめることによって、固定するようにしても良いのである。
【００３５】
さらに、前記具体例では、止め板１４の内側テーパ部３６に、貫通孔２８から放射状に延びる切込み３８が設けられて、貫通孔２８内への取付ピン４２の挿通が容易となるように構成されていたが、そのような切込み３８の数や長さも、前記具体例に示されるものに、決して限定されるものではない。なお、それらの切込み３８は、本発明において、何等必須のものではない。
【００３６】
加えて、前記具体例では、建築物の内壁や外壁の下地材に断熱材を配設する際に用いられる断熱材用押さえキャップに対して、本発明を適用したものの具体例を示したが、本発明は、そのような建築物の内壁や外壁の下地材や、ユニット型の空気調和機等や大型の空気清浄機等の外面パネル等に、吸音材を配設する際に用いられる吸音材用押さえキャップに対しても、有利に適用され得るものであることは、勿論である。
【００３７】
その他、一々列挙はしないが、本発明は、当業者の知識に基づいて種々なる変更、修正、改良等を加えた態様において実施され得るものであり、また、そのような実施態様が、本発明の趣旨を逸脱しない限りにおいて、何れも、本発明の範囲内に含まれるものであることが、理解されるべきである。
【００３８】
【発明の効果】
上述の説明からも明らかなように、本発明に従う断熱材及び吸音材用押さえキャップにあっては、断熱材や吸音材に刺し通されたピン部材の先端が、止め板部材の貫通孔に対して確実に挿通され、且つキャップ本体の底部を刺通することなく、該キャップ本体に良好に覆われ得る状態を確保しつつ、キャップ本体の高さ寸法が可及的に小さく為され得るのである。そして、その結果として、建築物の内壁や外壁への断熱材や吸音材の配設作業中に、作業員がキャップ本体に接触して、該キャップ本体が、止め板部材から離脱せしめられたり、或いは、ユニット型の空気調和機や大型の空気清浄機等の外面パネルに取り付けた際に、キャップ本体の先端が、それらの機械に内蔵される部品や構造体に接触して、外面パネルの取付が困難なものとなったりするようなことが確実に回避され得て、従来品では得られない優れた使用性が、極めて効果的に発揮され得ることとなるのである。
【図面の簡単な説明】
【図１】本発明に従う断熱材及び吸音材用押さえキャップの一例を示す正面説明図である。
【図２】図１における上面説明図である。
【図３】図２における III−III 断面説明図である。
【図４】図１における下面説明図である。
【符号の説明】
１０  断熱材用押さえキャップ      １２  キャップ本体
１４  止め板                      １６  底部
１８  側壁部                      ２０  内部空間
２２  開口部                      ２４  リブ
２８  貫通孔                      ３０  水平部
３２  屈曲部                      ３４  外側テーパ部
３６  内側テーパ部                ３８  切込み
４０  断熱材                      ４２  取付ピン
【図１】
0003909943.tif 000002
【図２】
0003909943.tif 000003
【図３】
0003909943.tif 000004
【図４】
0003909943.tif 000005